(57)【要約】【課題】  高感度で選択性の高い化学物質探知装置を提供する。【解決手段】  有機酸又は有機酸塩を用いて有機酸ガス発生器３から有機酸ガスを発生させ、試料ガスと混合させてイオン源４に導入し、イオン化を行い、質量分析部５で質量スペクトルを得る。データ処理部６は、得られた質量スペクトルに基づいて、探知対象の目的化学物質から生成される固有のｍ／ｚをもつ分子に有機酸から生成される分子が付加された固有の有機酸付加イオンのｍ／ｚの検出の有無を判定する。有機酸付加イオンのｍ／ｚのイオンピークがあった場合、探知対象の目的化学物質が存在すると判断して警報を鳴らす。【効果】  誤探知を防ぐことが可能となる。【選択図】図１
2005098706.tif 000002
【特許請求の範囲】
【請求項１】
試料をイオン化するイオン源と、前記試料のイオン種を測定する分析部と、前記イオン種の分析結果に基づいて、検査対象とする目的化学物質の前記試料中での存在の有無を判定するデータ処理装置を有し、該データ処理装置は、前記目的化学物質の分子と、質量数が４０以上４００以下の有機酸又は有機酸塩の分子との反応により生じた生成イオンの検出の有無を判定することを特徴とする化学物質探知装置。
【請求項２】
請求項１に記載の化学物質探知装置において、前記有機酸又は前記有機酸塩が、水酸基又はカルボキシル基を有する有機酸又は有機酸塩、あるいは、乳酸又は乳酸塩であることを特徴とする化学物質探知装置。
【請求項３】
請求項１に記載の化学物質探知装置において、前記データ処理装置は、前記生成イオンの検出の有無、あるいは、前記有機酸又は前記有機酸塩から生成した分子と前記目的化学物質の分子との反応により生じた生成イオンの検出の有無を判定し、前記目的化学物質の存在の有無を判定することを特徴とする化学物質探知装置。
【請求項４】
請求項１に記載の化学物質探知装置において、前記データ処理装置は、前記目的化学物質から生成したイオンの検出の有無、前記生成イオンの検出の有無、及び、前記有機酸又は前記有機酸塩から生成した分子と前記目的化学物質の分子との反応により生成したイオンの検出の有無の、いずれか一つ以上の検出の有無を判定し、前記目的化学物質の存在の有無を判定することを特徴とする
化学物質探知装置。
【請求項５】
請求項１に記載の化学物質探知装置において、前記生成イオンに対してタンデム質量分析を行ない、前記データ処理装置は、前記生成イオンの分解イオンの検出の有無を判定し、前記目的化学物質の存在の有無を判定することを特徴とする化学物質探知装置。
【請求項６】
請求項１に記載の化学物質探知装置において、前記有機酸又は前記有機酸塩から生成した分子と前記目的化学物質の分子との反応により生成したイオンに対してタンデム質量分析を行ない、前記データ処理装置は、前記生成したイオンの分解イオンの検出の有無を判定し、前記目的化学物質の存在の有無を判定することを特徴とする化学物質探知装置。
【請求項７】
請求項１に記載の化学物質探知装置において、前記目的化学物質から生成したイオン、前記生成イオン、及び、前記有機酸又は前記有機酸塩から生成した分子と前記目的化学物質の分子との反応により生成したイオンのいずれか一つ以上のイオンに対して同時にタンデム質量分析を行ない、前記データ処理装置は、前記目的化学物質から生成したイオンの分解イオンの検出の有無、前記生成イオンの分解イオンの検出の有無を判定し、前記目的化学物質の存在の有無を判定することを特徴とする化学物質探知装置。
【請求項８】
試料のガスを生成する加熱部と、質量数が４０以上４００以下の有機酸又は有機酸塩のガスを発生させるガス発生器と、前記加熱部で生成された前記試料のガスに、前記有機酸又は前記有機酸塩のガスを混合させ混合ガスを生成するガス混合部と、前記混合ガスのイオンの質量スペクトルを取得する質量分析部と、前記質量スペクトルに基づいて、検査対象とする目的化学物質の前記試料中での存在の有無を判定するデータ処理装置を有し、該データ処理装置は、前記目的化学物質の分子と、前記有機酸又は前記有機酸塩の分子との反応により生じた生成イオンの検出の有無を判定し、前記目的化学物質の存在の有無を判定することを特徴とする化学物質探知装置。
【請求項９】
試料ガスを吸引する吸引部と、質量数が４０以上４００以下の有機酸又は有機酸塩のガスを発生させるガス発生器と、前記吸引部で吸引された前記試料ガスに、前記有機酸又は前記有機酸塩のガスを混合させ混合ガスを生成するガス混合部と、前記混合ガスのイオンの質量スペクトルを取得する質量分析部と、前記質量スペクトルに基づいて、検査対象とする目的化学物質の前記試料ガス中での存在の有無を判定するデータ処理装置を有し、該データ処理装置は、前記目的化学物質の分子と、前記有機酸又は前記有機酸塩の分子との反応により生じた生成イオンの検出の有無を判定し、前記目的化学物質の存在の有無を判定することを特徴とする化学物質探知装置。
【請求項１０】
質量数が４０以上４００以下の有機酸又は有機酸塩が含浸され、検査対象から試料を採取する拭き取り部材と、該拭き取り部材を加熱して前記試料のガスと前記有機酸又は前記有機酸塩のガスが混合された混合ガスを生成する加熱部と、前記混合ガスのイオンの質量スペクトルを取得する質量分析部と、前記質量スペクトルに基づいて、検査対象とする目的化学物質の前記試料中での存在の有無を判定するデータ処理装置を有し、該データ処理装置は、前記目的化学物質の分子と、前記有機酸又は前記有機酸塩の分子との反応により生じた生成イオンの検出の有無を判定し、前記目的化学物質の存在の有無を判定することを特徴とする化学物質探知装置。
【請求項１１】
試料をイオン化する工程と、前記試料のイオン種を分析する工程と、前記イオン種の分析結果に基づいて、前記目的化学物質の分子と、質量数が４０以上４００以下の有機酸又は有機酸塩の分子との反応により生じた生成イオンの検出の有無を判定し、前記目的化学物質の存在の有無を判定する工程とを有することを特徴とする化学物質探知方法。
【請求項１２】
試料ガスを生成する工程と、前記試料ガスに、質量数が４０以上４００以下の有機酸又は有機酸塩のガスを混合させ混合ガスを生成する工程と、前記混合ガスをイオン化する工程と、前記混合ガスのイオンの質量スペクトルを取得する工程と、前記目的化学物質の分子と、前記有機酸又は前記有機酸塩の分子との反応により生じた生成イオンの検出の有無を判定し、前記目的化学物質の存在の有無を判定する工程とを有することを特徴とする化学物質探知方法。
【発明の詳細な説明】
【技術分野】
【０００１】
本発明は、環境物質、有害化学物質、麻薬、爆発物等の化学物質探知技術に係わり、特に質量分析計を用いた化学物質探知装置に関する。
【背景技術】
【０００２】
麻薬や爆発物を探知する探知技術には、X線透視装置のように物体の形状や密度から判別する、いわゆるバルク検出と、検査対象に付着した極微量の化学物質を検出する、いわゆるトレース検出に大別される。トレース検出において、爆発物を探知する技術には化学発光方式、イオン移動度方式、質量分析方式などがある。
【０００３】
化学発光方式では、採取した試料をガスクロマトグラフィで分離し、発光試薬と反応させて発光を検出することで、化学物質の同定を行ない爆薬の探知を行なう（従来技術１：特許文献１を参照）。採取物質をあらかじめガスクロマトグラフで分離するため、特定の探知対象物質に対して極めて感度が高く、物質を見分ける能力（以下、選択性と呼ぶ）が高い。
【０００４】
イオン移動度方式では、採取した試料を加熱蒸気化し、ガス状の試料を放射線を用いたイオン源でイオン化する。このイオンを電界により大気中をドリフトさせ、移動度を測定することで化学物質の同定を行ない、爆薬の探知を行なう（従来技術２：特許文献２を参照）。
【０００５】
また、イオン移動度方式では、イオン化を行なう際に塩素又は塩素化合物（以下、塩素ドーパントと呼ぶ）を導入することで、爆薬分子と塩素イオンが反応し、爆薬分子に塩素イオンが付加された付加イオンを生成する。この付加イオンを検出することで爆薬の探知を行なう。（従来技術３：特許文献３を参照）。塩素イオンの付加イオンを検出する方法では、付加イオンの生成効率が高いので、観測される信号強度は高くなり、探知する際の感度が高くなる。また、探知対象物質が本来のイオン化過程を経てイオン化されたイオンも、塩素による付加イオンと同時に観測されるため、信号の数が増え、選択性が高まる。
【０００６】
質量分析方式を用いた探知装置として、大気圧化学イオン化法を用いた方法が知られている（従来技術４：特許文献４を参照）。この方法は大気圧化で化学反応により爆薬分子をイオン化し、生成したイオンの質量分析を行なうことで、物質の同定および爆薬の探知を行なう。採取物質を直接大気圧化のイオン源に導入し、質量分析を行なうため濃縮や分離と言った前処理が必要とせず、連続かつスピーディな探知が可能である。さらに、負の大気圧化学イオン化法は、電子親和力の高いニトロ化合物を選択的にイオン化する特徴を持っており、夾雑物の影響を受けにくいうえ、信号強度が高いので感度が高い。また、検出部は四重極質量分析計やイオントラップ質量分析計などの精密化学分析に使用される質量分析計を用いているため、分子量１の差を見分けられるため、選択性が高い。このため、実運用においても、夾雑成分と探知対象物質を見分けることが可能である。
【０００７】
また、質量分析方式においても塩素ドーパントを用いて爆薬分子に対して塩素イオンが付加した付加イオンを検出する方法も提案されている（従来技術５：非特許文献１を参照）。
【０００８】
また、有機極性化合物の質量分析法において、水酸基またはカルボキシル基を含む有機極性化合物をハロゲン化合物と混合させてハロゲン化合物のイオン化に利用している（従来技術６：特許文献５を参照）。
【０００９】
質量分析方式を用いた化学物質のモニタにおいて、測定すべき分子種が複数ある場合に同時にタンデム質量分析を行う方法が開示されている。（従来技術７：特許文献６を参照）。
【００１０】
【特許文献１】米国特許５０９２１５５号明細書
【００１１】
【特許文献２】特開平５−２６４５０５号公報
【特許文献３】特開平７−６７２９号公報
【特許文献４】特開２０００−２８５７９号公報
【特許文献５】特許２６６７５７６号公報
【特許文献６】特開２０００−１６２１８９号公報
【非特許文献１】7th International Symposium on Analysis and Detection of Explosives, 2001, Samantha L.Richards et al, The Detection of Explosive Residues from Boarding Passes, PP.60
【発明の開示】
【発明が解決しようとする課題】
【００１２】
従来技術１の方法では、採取物質を濃縮したり、ガスクロマトグラフで分離したりする前処理が必要なため、探知までに時間がかかる。このため、空港の手荷物検査などの様に膨大な数の検査を行う場合には向いていない。
【００１３】
従来技術２の方法では、短時間での探知は可能であるが探知対象物質に対して十分な信号強度が得られにくく感度が低い。また、衝突の多い大気圧条件でドリフトさせるので、分離が悪く、選択性が低い。選択性が低いと、必然的に誤報が多いと言う課題がある。
【００１４】
従来技術３では、従来技術２の感度と選択性の課題を解決するため、低濃度の塩素ドーパントを導入する。しかしながら、クリーンな環境下での検出では感度が高いと言えるが、実運用では検出するもの以外の妨害物質が多く存在しており、その妨害物質環境下での運用では、十分な感度や選択性が得られているとは言えない。この妨害成分は、以下では夾雑成分と呼び、例えばカバンの拭き取り試験を考えると、カバン由来の成分（カバンそのものの素材の匂いなど）や、カバンの表面に付着した汚れ、油、化粧品等が該当する。つまり、探知対象物質以外の夾雑成分を誤って判定したり、似た複数の探知対象物質を誤って判定する誤探知が多い。また、ドーパント原料として塩素化合物を用いているため人体や環境に影響が出る可能性がある。さらに、イオン源には放射性同位体を用いているため使用や保管に許可が必要であり、運用面の制約となる。
【００１５】
従来技術４では、採取物質を直接大気圧化のイオン源に導入し、質量分析を行なうが、さらに感度や選択性の向上が望まれていた。
【００１６】
従来技術５では、質量分析方式において更なる感度向上、選択性向上を得るために、従来技術３と同様に、塩素ドーパントを導入して探知対象物質に塩素イオンが付加された塩素付加イオンを検出する方法を行っている。しかしながら、塩素化合物を用いているため、人体や環境に影響が出る可能性がある。
【００１７】
なお、従来技術６では、ハロゲン化物の検出に対して有効な方法であるが、爆薬の多くが含まれるニトロ化合物に対しては効果が少なかった。
従来技術７では、夾雑成分の排除にタンデム質量分析を有効に利用しているが、爆薬の探知などのような極微量成分の検出のためには、更なる工夫が必要である。
【００１８】
本発明の目的は、スピード・感度・選択性に優れた危険物探知装置を提供することである。本発明の他の目的は、放射性同位体やハロゲン化物などの、人体や環境への影響が懸念される物質を使用しない高性能の探知機を提供することである。
【課題を解決するための手段】
【００１９】
本発明は、負の大気圧化学イオン化法において、ニトロ化合物に代表される爆薬分子に有機酸のような比較的分子量の大きな物質が付加したイオンが生成されることを新たに発見したことに基づいてなされた。
【００２０】
本発明の化学物質探知装置では、有機酸ガスを発生させる発生器から有機酸又は有機酸塩（以下、これら全てを有機酸と記し、有機酸ガスを有機酸ドーパントと記す）のガスを発生させ、試料ガスと混合させてイオン源に導入し、イオン化を行う。このイオンを質量分析部で分析し、質量スペクトルを得る。データ処理装置では質量スペクトルと探知のデータベースと比較する。データ処理装置が、探知対象とする目的化学物質から生成される分子に有機酸から生成された分子（有機酸、あるいは、有機酸が分解して生成された分子、有機酸が他の分子と反応し生成した分子の総称で、以下では有機酸分子と記す）が付加された付加イオン（以下、有機酸付加イオンと記す）の検出の有無を判定する。この固有のｍ／ｚを有する有機酸付加イオンが検出された場合、探知対象の目的化学物質が存在すると判断して警報を鳴らす。
【００２１】
本発明の化学物質探知装置をより詳細に以下に説明する。
【００２２】
本発明の化学物質探知装置は、イオン源、分析部、データ処理装置（データ処理部）から構成される。試料はイオン源でイオン化され、分析部で試料のイオン種を測定する。データ処理装置は、検査対象とする目的化学物質の試料中での存在の有無を判定する。データ処理装置は、目的化学物質の分子と、質量数が４０以上４００以下の有機酸又は有機酸塩の分子との反応により生じた生成イオンの検出の有無を判定する。この判定の結果、有りと判定された場合には警報が鳴らされる。
【００２３】
分析部ではイオン種の分析を行なうが、四重極質量分析装置、イオントラップ質量分析装置、イオン移動度を分析する装置等から選ばれる。例えば、分析部として、試料のイオンの質量スペクトルを取得する質量分析部を用いる。
【００２４】
有機酸又は有機酸塩は、水酸基又はカルボキシル基を有する有機酸又は有機酸塩であり、代表的に、乳酸又は乳酸塩をもちいる。
【００２５】
データ処理装置は、（１）上記生成イオンの検出の有無、あるいは、有機酸又は有機酸塩から生成した分子と目的化学物質の分子との反応により生じた生成イオンの検出の有無を判定し、（２）目的化学物質から生成したイオンの検出の有無、上記生成イオンの検出の有無、及び、有機酸又は有機酸塩から生成した分子と目的化学物質の分子との反応により生成したイオンの検出の有無の、いずれか一つ以上の検出の有無を判定し、目的化学物質の存在の有無を判定する。
【００２６】
本発明の化学物質探知装置では、タンデム質量分析を行なう。
【００２７】
（１）上記生成イオンに対してタンデム質量分析を行なう。データ処理装置は、上記生成イオンの分解イオンの検出の有無を判定し、目的化学物質の存在の有無を判定する。
【００２８】
（２）有機酸又は有機酸塩から生成した分子と目的化学物質の分子との反応により生成したイオンに対してタンデム質量分析を行なう。データ処理装置は、生成したイオンの分解イオンの検出の有無を判定し、目的化学物質の存在の有無を判定する。
【００２９】
（３）目的化学物質から生成したイオン、上記生成イオン、及び、有機酸又は有機酸塩から生成した分子と目的化学物質の分子との反応により生成したイオンのいずれか一つ以上のイオンに対して同時にタンデム質量分析を行なう。データ処理装置は、目的化学物質から生成したイオンの分解イオンの検出の有無、上記生成イオンの分解イオンの検出の有無を判定し、目的化学物質の存在の有無を判定する。
【００３０】
本発明の化学物質探知装置の構成例では、試料のガスを生成する加熱部と、質量数が４０以上４００以下の有機酸又は有機酸塩のガスを発生させるガス発生器と、加熱部で生成された試料のガスに、有機酸又は有機酸塩のガスを混合させ混合ガスを生成するガス混合部と、混合ガスのイオンの質量スペクトルを取得する質量分析部と、質量スペクトルに基づいて、検査対象とする目的化学物質の試料中での存在の有無を判定するデータ処理装置とを有する。
【００３１】
本発明の化学物質探知装置の他の構成例では、試料ガスを吸引する吸引部と、質量数が４０以上４００以下の有機酸又は有機酸塩のガスを発生させるガス発生器と、吸引部で吸引された試料ガスに、有機酸又は有機酸塩のガスを混合させ混合ガスを生成するガス混合部と、混合ガスのイオンの質量スペクトルを取得する質量分析部と、質量スペクトルに基づいて、検査対象とする目的化学物質の試料ガス中での存在の有無を判定するデータ処理装置とを有する。
【００３２】
本発明の化学物質探知装置の他の構成例では、質量数が４０以上４００以下の有機酸又は有機酸塩が含浸され、検査対象から試料を採取する拭き取り部材と、拭き取り部材を加熱して試料のガスと有機酸又は有機酸塩のガスが混合された混合ガスを生成する加熱部と、混合ガスのイオンの質量スペクトルを取得する質量分析部と、質量スペクトルに基づいて、検査対象とする目的化学物質の試料中での存在の有無を判定するデータ処理装置とを有する。
【００３３】
なお、上記構成例において、データ処理装置は、目的化学物質の分子と、有機酸又は有機酸塩の分子との反応により生じた生成イオンの検出の有無を判定し、目的化学物質の存在の有無を判定する。
【００３４】
本発明の化学物質探知方法では、試料をイオン化する工程と、試料のイオン種を分析する工程と、イオン種の分析結果に基づいて、目的化学物質の分子と、質量数が４０以上４００以下の有機酸又は有機酸塩の分子との反応により生じた生成イオンの検出の有無を判定し、目的化学物質の存在の有無を判定する工程とを有することに特徴がある。
【００３５】
また、本発明の化学物質探知方法では、試料ガスを生成する工程と、試料ガスに、質量数が４０以上４００以下の有機酸又は有機酸塩のガスを混合させ混合ガスを生成する工程と、混合ガスをイオン化する工程と、混合ガスのイオンの質量スペクトルを取得する工程と、目的化学物質の分子と、有機酸又は有機酸塩の分子との反応により生じた生成イオンの検出の有無を判定し、目的化学物質の存在の有無を判定する工程とを有することに特徴がある。
【発明の効果】
【００３６】
本発明によれば、有機酸を添加することにより従来の塩素ドーパントよりも少ない消費量で検出感度を高めることができる。また、有機酸は負イオンになりやすく、かつ爆薬分子と容易に付加イオンを生成するので、爆発物探知装置に適している。また、塩素付加イオンより高い質量数に有機酸付加イオンが検出されるため、探知対象物質から生成された分子イオンとの見分けが容易になり選択性が向上する。この結果、誤探知を防ぐことが可能となる。
【発明を実施するための最良の形態】
【００３７】
以下、本発明の実施の形態について、図を用いて詳細に説明する。
【００３８】
なお、以下で説明する、図３、図４、図５、図６、図１０、図１３、図１４、図１５において、横軸はｍ／ｚであり、縦軸は信号強度を示す。
【００３９】
本発明の化学物質探知装置では、有機酸又は有機酸塩から生成される分子と反応し生成されるイオンを検出することにより、環境物質、有害化学物質、麻薬、爆発物の探知を行なうことが可能である。
【００４０】
以下の説明では、化学物質探知装置の一例として爆発物探知装置をとって説明する。爆薬の例としてＲＤＸを使用したが、これに限定されるものではない。
【００４１】
まず、本発明の対比として、参考のため塩素ドーパントを用いる従来方法により得られる質量スペクトルを説明する。
【００４２】
図３を用いて塩素ドーパントを導入した場合の質量スペクトルを説明する。通常、塩素ドーパントを導入しない場合は、探知対象物質の分子イオン（（Ｍ）-）のイオンピーク、及び探知対象物質から生成した固有の特定分子脱離イオン（（Ｍ1）-）又は特定分子付加イオン（（Ｍ２）-）が検出される。塩素ドーパントを導入することで塩素イオン（（Ｃｌ）-）のイオンピークが検出される。また、探知対象物質に塩素イオンが付加した塩素付加イオン（（Ｍ+Ｃｌ）-）が検出される。適量の塩素ドーパントを導入すると、塩素付加イオンが効率よく生成されるため、塩素を導入しないときの探知対象物質から生成した固有のイオンピーク、すなわち（Ｍ）-、（Ｍ1）-や（Ｍ２）-の信号強度よりも塩素付加イオンの強度の方が強い。つまり、探知対象物質の量が少なくても塩素付加イオンのイオンピークの信号が強く観測されるため、感度が高くなり、極微量の試料でも検出できるようになる。また、探知対象物質のイオンピークと共に、塩素付加イオンのイオンピークが塩素（質量数３５と３７）の分だけ高い質量数の位置に検出されるため、複数のイオンピークでの検出および判定を行うことが可能になり、選択性が向上する。
図４は、本発明の実施例の爆発物探知装置により得られる、有機酸付加イオンの質量スペクトルの一例を示す図である。
図４を用い、本発明の有機酸ドーパントを用いた場合に得られる質量スペクトルを説明する。通常、有機酸ドーパントを導入しない場合は、探知対象物質から生成される分子イオン（（Ｍ）-）のイオンピーク、探知対象物質から特定分子が脱離した特定分子脱離イオン（（Ｍ1）-）、又は付加された特定分子付加イオン（（Ｍ２）-）が検出される。有機酸ドーパントを導入することで有機酸分子から生成されるイオン（（Ｄ）-）が検出される。また、有機酸分子イオンが付加した有機酸付加イオン（（Ｍ+Ｄ）-）が検出される。有機酸と検出対象とする爆薬の種類によっては、水素が脱離した（Ｍ+Ｄ-Ｈ）-や、水素が付加した（Ｍ+Ｄ+Ｈ）-が検出される場合もある。また、有機酸から生成されるイオンは複数種類得られる場合があるので、有機酸付加イオンも複数種類得られる場合もある。検出対象とする爆薬は様々な種類があり、さらに爆薬と有機酸から生成されるイオンとの付加反応は複雑であるため、どの様な付加イオンが得られるかを予め予測することは難しい。そこで、実験に基づき探知データベースを取得しておく事は重要であり、データ処理装置に格納された探知データベースに基づき対象物質の有無を判定する。
【実施例１】
【００４３】
図１は、本発明の実施例１の爆発物探知装置の構成例を示す図である。実施例１の化学物質探知装置では、有機酸ガス発生器を用いたワイプ方式の装置構成とする。
【００４４】
図１に示すように、装置は、吸引部１（上部加熱ヒータ）及び下部加熱ヒータを備えた加熱器２、有機酸ガス発生器３、イオン源４、質量分析部５、データ処理部６で構成される。有機酸ガス発生器３には、有機酸の一例である乳酸を約４００μＬ（マイクロリットル）入れ、発生器ヒータ９で約４０°Ｃに加熱し、乳酸蒸気を発生させる。さらに、押出ポンプ７及び押出マスフローコントローラ８で約０．１Ｌ（リットル）／分の流量でイオン源４に導入する。その際、押出流量は吸引部１側に逆流しない流量であれば良い。
【００４５】
イオン源４には、吸引部１から蒸気又は微粒子を吸引するために、吸気ポンプ１０及び吸気マスフローコントローラ１１で約０．５Ｌ／分の流量でガスが引き込まれる。イオン源４では試料のイオン化が行われる。イオン源４で生成されたイオンは、内径０．２ｍｍ程度の細孔を介して、真空に排気された質量分析部５に取り込まれる。細孔からは、約０．５Ｌ／分で質量分析部５側にガスが引き込まれるので、吸引部１から吸引された試料ガスの流量は約０．９Ｌ／分になる。
【００４６】
検査は、手荷物などをワイプ材１２で拭取り、極微量の爆薬成分を採取する。このワイプ材１２を吸引部１（上部加熱ヒータ）及び下部加熱ヒータで構成される加熱器２に挿入する。吸引部１（上部加熱ヒータ）と加熱器２は採取試料が蒸発する温度に保持されていれば良い。今回は、共に２１０°Ｃで加熱した。
【００４７】
ワイプ材１２が挿入されると、加熱器２が上昇し、ワイプ材１２を挟み込むことで加熱して爆薬試料を蒸発させる。蒸発した試料は、加熱されたフィルタ１３（例えば、２１０°Ｃで加熱されている）及び配管ヒータ１５で加熱された配管１４（例えば、１８０°Ｃで加熱されている）を通って、有機酸ガス発生装置３で発生した乳酸蒸気と混合部１６で混合され、イオン源４に導入される。フィルタ１３は、埃などが吸引されることを防止するために設けられている。イオン源４では混合ガスをイオン化し、質量分析部５で質量分析を行なう。
次に、イオン源及び質量分析の詳細を説明する。
図２は、本発明の実施例１の化学物質探知装置における、イオン源及び分析部の一例を示す図である。
【００４８】
イオン源は、試料のイオン種を生成できるものであれば良い。例えば、放射線源や電子線、光、レーザー、コロナ放電などを用いることができる。分析部はイオン種の分析ができるものであれば良く、必ずしも質量分析でなくとも、例えば、イオン移動度方式でも良い。
図２ではイオン源に大気圧イオン化法を用い、イオン種の分析にイオントラップ質量分析計を用いた構成を示した。このイオン源では、大気中のコロナ放電を利用して一次イオンを生成し、この一次イオンと試料分子との化学反応を利用して試料分子をイオン化する。イオン源には針電極１７が配置され、対向電極１８との間に高電圧が印加され、針電極先端付近にコロナ放電が発生する。このコロナ放電により、空気中の窒素、酸素、水蒸気などがイオン化され、一次イオンとなる。
【００４９】
生成された一次イオンは電界により細孔付電極（第一細孔）１９側に移動する。配管を介して吸引された被検出物質が含まれた試料の蒸気又は微粒子は、対向電極１８の開口部を通って針電極１７側に流れ込む。その際、一次イオンと反応することで、蒸気又は微粒子はイオン化される。針電極１７に負の高電圧を印加して負イオンを生成する負イオン化モードの場合、一次イオンは酸素分子イオンである場合が多い。試料分子（Ｍ）における代表的な負イオン化反応を以下に示す。
【００５０】
Ｍ＋（Ｏ２）−→Ｍ−＋Ｏ２  
生成された試料分子イオンは、対向電極１８と細孔付電極（第一細孔）１９間に１ｋＶ程度の電位差があるため、細孔付電極側（第一細孔）１９に移動し、第一細孔２０を介して差動排気部２１に入る。差動排気部２１では断熱膨張が起こり、イオンに溶媒分子が付着するクラスタリングが発生する。このクラスタリングを軽減させるために細孔付電極（第一細孔）１９をヒータなどで加熱することが望ましい。
【００５１】
図２の構造のイオン源を用いた場合、コロナ放電で生成された一次イオンは、対向電極１８から細孔付電極（第一細孔）１９の方向に移動する。一方、試料分子が含まれた蒸気や微粒子のガスは、対向電極１８と細孔付電極（第一細孔）１９の間に供給され、一次イオンとイオン化反応を起こす。この時、コロナ放電で生じた中性の一酸化窒素（ＮＯ）などのイオン化反応を阻害する中性分子は、ガスが対向電極１８から針電極１７の方向に流れているため、試料分子と一次イオンがイオン化反応する領域から除去される。このようにコロナ放電による一次イオン生成領域と、一次イオンと試料分子とのイオン化反応領域が分離されるため、放電で生成される一酸化窒素（ＮＯ）と、試料由来の一酸化窒素（ＮＯ）の識別が可能になった。
【００５２】
生成された試料分子イオンは、細孔付電極（第一細孔）１９に開口された第一細孔２０、第一排気系２４で排気された差動排気部２１、細孔付電極（第二細孔）２２に開口された第二細孔２３を経由して、第二排気系２５で排気された真空部２６に導入される。
【００５３】
細孔付電極（第一細孔）１９と細孔付電極（第二細孔）２２との間には、ドリフト電圧と呼ばれる電圧が印加される。ドリフト電圧には、差動排気部２１に取り込まれたイオンを第二細孔２３の方向にドリフトさせることで、第二細孔２３のイオン透過率を向上させる効果と、差動排気部２１に残留するガス分子との衝突でイオンに付着した水などの溶媒分子を脱離させる効果がある。
【００５４】
さらに、細孔付電極（第二細孔）２２に加速電圧を印加させ、エンドキャップ電極２７、２８及びリング電極２９などで構成されたイオントラップ部へ、試料分子イオンを導入する。その際、加速電圧によりイオントラップへの入射エネルギーが変化するため、イオントラップへのイオンの閉じ込め効率が変化する。そのため閉じ込め効率が高くなるように加速電圧を設定する。
【００５５】
真空部２６に導入されたイオンは、イオン収束レンズ３０で収束された後、イオントラップ部に導入される。イオントラップ部は、エンドキャップ電極２７、２８及びリング電極２９、石英リング３１で構成されており、ガス供給器３２からガス導入管３３を介してヘリウムなどの衝突ガスが導入される。石英リング３１は、エンドキャップ電極２７、２８及びリング電極２９との間の電気絶縁を維持する。ゲート電極３４は、イオントラップ部に捕捉したイオンを分析するタイミングにおいて、外部から新たにイオンがイオントラップ内に導入されないよう制御する役目をする。
【００５６】
イオントラップ内部に導入されたイオンはヘリウムなどの衝突ガスとの衝突で軌道が小さくなった後、エンドキャップ電極２７、２８とリング電極２９間に印加された高周波電圧を走査することで、質量数毎にイオンがイオントラップ外に排出される。この排出されたイオンを、変換電極３４、シンチレータ３５、フォトマルチプライヤ３６で構成される検出部で検出する。イオンは、加速する電圧が印加された変換電極３４に衝突し、表面から荷電粒子が放出される。この荷電粒子をシンチレータ３５で検知し、フォトマルチプライヤ３６で増幅する。検出された信号はデータ処理部３７に送られる。データ処理部３７で得られた質量スペクトルについて以下に詳細を説明する。
【００５７】
図５は、従来の質量分析計による爆発物探知装置を用いて得られた爆薬ＲＤＸの質量スペクトルを示す図である。ＲＤＸはプラスチック爆薬の主剤としてよく用いられる爆薬である。
【００５８】
図５に示すように、ｍ／ｚ＝４６、２６７に、爆薬ＲＤＸから生成された固有のｍ／ｚの分子イオン（ＲＤＸ由来イオン）がイオンピークとして検出される。ｍ／ｚ＝２６７は（Ｍ＋ＮＯ２）−、４６は（ＮＯ２）−だと推定される。従来の爆発物探知装置では、この爆薬から生成された固有のｍ／ｚの分子イオンのイオンピークを検出対象として探知を行なっている。
【００５９】
図６は、本発明の実施例１において、有機酸ドーパントとして乳酸を用いた場合に得られる、爆薬ＲＤＸの質量スペクトルを示す図である。
【００６０】
図６に示すように、ドーパントである乳酸から生成された分子イオン（乳酸由来イオン）が、ｍ／ｚ＝８９にイオンピークとして検出される。ｍ／ｚ＝８９は乳酸から水素が脱離したイオンと推定される。図５と同様に、爆薬ＲＤＸから生成された固有のｍ／ｚの分子イオン（ＲＤＸ由来イオン）が、ｍ／ｚ＝４６、２６７にイオンピークとして検出されている。
また、爆薬ＲＤＸから生成された固有のｍ／ｚのイオンピーク以外に、ｍ／ｚ＝３１０に爆薬ＲＤＸに乳酸から生成された分子が付加された分子イオン（ＲＤＸ乳酸由来付加イオン）のイオンピークが検出される。これは爆薬ＲＤＸ（質量数２２２）に乳酸分子（質量数８９）が付加され、水素（質量数１）が脱離したものである。そこで、この爆薬分子に乳酸から生成された分子が付加した固有のｍ／ｚのイオンピーク（ＲＤＸの場合、３１０）を検出することでＲＤＸを探知することができる。
【００６１】
図７は、本発明の実施例１の爆発物探知装置における、爆発物の探知フローチャートの一例を示す図である。
【００６２】
図７に示すように、検査が開始され質量スペクトル測定が行われ、図１のデータ処理部に送られる。図１のデータ処理部に送られた質量スペクトルから、検出しようとしていた探知対象物質から生成される固有のｍ／ｚのイオンピークの存在の有無を判断し、検出された場合には警報を鳴らす。さらに、探知対象物質から生成される固有のｍ／ｚのイオンピークが検出されなくても、乳酸から生成される分子が付加した固有のｍ／ｚのイオンピークの有無を判定して、検出された場合には警報を鳴らす。
【００６３】
つまり、探知対象物質から生成された分子のｍ／ｚのイオンピークと、探知対象物質に乳酸から生成された分子が付加された固有のｍ／ｚのイオンピークのどちらかが検出された場合、警報を鳴らしても良い。これらの作業を繰り返すことで爆発物探知装置として機能させる。
【００６４】
また、探知対象物質から生成された固有のｍ／ｚのイオンピークと、探知対象物質乳酸から生成された分子が付加された固有のｍ／ｚのイオンピークの両方が検出した場合のように、複数のイオンピークの有無で判定する場合は、単体のイオンピークで判定するより確実性が高まり、誤報が低減できる効果がある。このように、有機酸ドーパントを用いることにより、本来の爆薬由来の信号と爆薬分子に有機酸から生成されたイオンが付加した付加イオンの２種類以上のイオンを検出対象とするため、探知の選択性が向上する。
【００６５】
これらの探知に使う探知対象物質から生成された固有のｍ／ｚのイオンピーク、または、探知対象物質に乳酸から生成された分子が付加した固有のｍ／ｚのイオンピークの情報は予めデータ処理部又は外部にあるデータベースに登録されており、今回のＲＤＸ以外の爆薬についても、探知対象物質から生成された固有のｍ／ｚのイオンピーク、または、探知対象物質に乳酸から生成された分子が付加した固有のｍ／ｚのイオンピークの情報は、データベースに登録することで探知対象物質の数を増やしている。
【００６６】
図８は、本発明の実施例１の爆発物探知装置において、塩素ドーパントを用いた場合の、塩素濃度（横軸）に対する塩素付加イオンの信号強度（縦軸）の変化を示す図である。
【００６７】
図９は、本発明の実施例１の爆発物探知装置において、乳酸ドーパントを用いた場合の、乳酸濃度（横軸）に対する乳酸付加イオンの信号強度（縦軸）の変化を示す図である。乳酸ドーパントとは、装置に導入する乳酸を意味する。
【００６８】
図８に示すように、塩素ドーパントを装置に導入した場合、塩素付加イオン（ＲＤＸ＋Ｃｌ）の信号が、１．０Ｅ＋７Ｃｏｕｎｔｓ以上の信号強度を得るには、塩素濃度１００ｐｐｍが必要である。
【００６９】
図９に示すように、乳酸ドーパントの場合には、乳酸付加イオン（ＲＤＸ＋Ｌａ）の信号が、乳酸濃度１０ｐｐｍで１．０Ｅ＋７Ｃｏｕｎｔｓ以上の信号強度が得られる。よって乳酸ドーパントの方が、塩素ドーパントに比べて少ない量で効果がある。従って、乳酸ドーパントの方が消費量が少なく、ドーパント剤の補充等の作業も少なくてすむ。また、塩素ドーパントより乳酸ドーパントの方が、環境や人体に影響を与える心配が少ない。
【００７０】
また、塩素イオン（質量数３５と３７）の質量数に対して、乳酸から生成された分子イオン（質量数８９）の質量数が大きく、さらに、爆薬に付加しやすい特定分子である（ＮＯ２）−（質量数４６）や（ＮＯ３）−（質量数６２）よりも質量数が大きいため、爆薬に付加した場合、他の付加しやすい特定分子より高い質量数に付加イオンピークが検出される。これは、塩素付加イオンピークより、特定分子が付加したイオンピークと乳酸付加イオンピークとの分離が容易になるため、イオン移動度方式などのように選択性が低い検出法を用いた場合でも誤探知が少なくなるという利点がある。
【実施例２】
【００７１】
実施例２では、爆薬乳酸付加イオンをタンデム質量分析し、解離した特有のフラグメントイオンを検出対象とする爆発物探知装置について説明する。
【００７２】
質量分析装置において選択性を高める方法として、タンデム質量分析法が知られている。このタンデム質量分析法を実施する装置として、三連四重極質量分析計や四重極イオントラップ質量分析計などがある。タンデム分析法では、２段階で質量分析を行なう。一段目の質量分析としてイオン源で生成されたイオンのｍ／ｚを測定する。様々なｍ／ｚを有するイオンの中から特定のｍ／ｚを有するイオンを選択する。
【００７３】
選択されたイオン（プリカーサーイオン）を中性ガスなどとの衝突により解離させ、分解物イオン（フラグメントイオン）を生成する。二段目の質量分析としてフラグメントイオンの質量分析を行なう。プリカーサーイオンが解離する場合、分子中のどの部位が切れるかは部位ごとの化学結合の強さに依存する。従って、フラグメントイオンを分析するとプリカーサーイオンの分子構造の情報を含んだ質量スペクトルが得られる。
【００７４】
つまり、イオン源で生成されたイオンのｍ／ｚが偶然同じでも、フラグメントイオンの質量スペクトルを調べることで、探知の対象物が含まれているか否か判別できる。三連四重極質量分析計や四重極イオントラップ質量分析計を用いたタンデム質量分析法は広く知られているので、詳しい説明は省略する。
【００７５】
代表的な爆薬の一種であるＲＤＸにおいてタンデム質量分析を行なった詳細を説明する。プリカーサーイオンとしてｍ／ｚ＝３１０のＲＤＸ乳酸付加イオンを選択してそれ以外のイオンを排除する。さらに、このプリカーサーイオンに対してエネルギーを与えて解離させ、フラグメントイオンの質量スペクトルを得る。
【００７６】
図１０は、本発明の実施例２において、ＲＤＸ乳酸付加イオンのタンデム質量分析によるフラグメント質量スペクトルを示す図である。図１０は、乳酸ドーパントを装置に導入した場合、爆薬ＲＤＸ乳酸付加イオン（ｍ／ｚ＝３１０）のプリカーサーイオンに対してタンデム質量分析を行なったフラグメント質量スペクトルの一例を示す図である。
【００７７】
爆薬ＲＤＸから解離分解され生成された特有のフラグメントイオンが、ｍ／ｚ＝４６及び９２にイオンピークとして検出される。これらはＲＤＸから分解され生成されたフラグメントイオン（ＲＤＸ由来フラグメントイオン）である。
【００７８】
さらに、フラグメントイオンとしてｍ／ｚ＝８９、１３５にイオンピークが検出される。これらは乳酸から生成されたフラグメントイオン（乳酸由来フラグメントイオン）である。図１０に示すフラグメントイオンを検出対象とし、モニタすることで爆発物探知装置として運用する。
また、ｍ／ｚ＝２６７の様な爆薬だけから生成されるイオンに対してタンデム質量分析を行ない、乳酸付加イオンのタンデム質量分析の結果と組み合わせて、判定し、探知の精度を更に高めても良い。
また、爆薬によっては乳酸付加イオンをタンデム質量分析した場合、乳酸から生成される固有のフラグメントイオンと、爆薬から生成されるフラグメントイオンの信号が共に強く得られる場合がある、その場合は、爆薬から生成されるフラグメントイオンを検出対象とした方が、爆薬の分子構造の特徴を良くあらわしているので好適である。あるいは乳酸から生成された分子のフラグメントイオン及び爆薬から生成された分子のフラグメントイオンの両方を検出対象としても良い。
【実施例３】
【００７９】
実施例３では、爆薬から生成されるイオンと爆薬に乳酸から生成される分子が付加したイオンを同時にタンデム質量分析して解離分解し、爆薬のフラグメントイオン又は乳酸から生成された分子のフラグメントイオンを検出対象とする爆発物探知装置について説明する。
【００８０】
通常のタンデム質量分析の場合、一つのプリカーサーイオンに対して分析を行なうが、実施例３では、二つ以上のプリカーサーイオンに対してタンデム質量分析を同時に行なった。爆薬から生成されるイオンは複数のイオンピークとして検出される。また、同様に、爆薬に乳酸から生成された分子が付加したイオンピークも複数検出される場合もある。これら多くのイオンピークの中から幾つかをプリカーサーイオンとして選択し、解離させる。この方法は、爆薬から生成されるイオンと、乳酸付加イオンとで、同じフラグメントイオンを生成する場合があるが、そのような場合には特に有効である。複数のイオンピークから解離されたフラグメントイオンが同じｍ／ｚを有する場合、複数のイオンピーク全てを同時にタンデム質量分析を行なった場合、検出されるフラグメントイオンのｍ／ｚは同一であるため、積算されたイオンピークとして検出される。つまり、単独でタンデム質量分析を行なった場合より信号強度が高くなり、検出感度が向上する。
【００８１】
ＲＤＸの場合について説明する。ＲＤＸの場合、爆薬から生成されるイオンとしてｍ／ｚ＝２６７がある。これをタンデム質量分析した場合、ｍ／ｚ＝４６及び９２にフラグメントイオンが検出される。また、乳酸付加イオンとしてｍ／ｚ＝３１０に対してもタンデム質量分析を行なった場合、ｍ／ｚ＝４６及び９２に爆薬から生成されるフラグメントイオンと、ｍ／ｚ＝８９及び１３５に乳酸から生成されたフラグメントイオンが検出される。ｍ／ｚ＝２６７とｍ／ｚ＝３１０を同時にタンデム質量分析を行なえば、爆薬から生成されるｍ／ｚ＝４６及び９２のフラグメントイオンは、それぞれ単独で行なった場合のものが積算されたイオンピーク信号として検出される。つまり、単独でタンデム質量分析を行なった場合より信号強度が高くなり、検出感度が向上する。
【００８２】
なお、実施例３で得られたフラグメント質量スペクトル（図示せず）は、図１０に示すフラグメント質量スペクトルと同じパターンであるが、ｍ／ｚ＝４６及び９２の信号強度は高くなっていた。
【実施例４】
【００８３】
実施例４では、乳酸を含浸させたワイプ材を使用した爆発物探知装置について説明する。
【００８４】
図１１は、本発明の実施例４の爆発物探知装置の構成例を示す図である。図１１に示す装置では、含浸ワイプ材を用いた。
【００８５】
図１１に示すように、装置は吸引部１（上部加熱ヒータ）及び下部加熱ヒータを備えた加熱器２、イオン源４、質量分析部５、データ処理部６で構成される。イオン源４では吸引部１から導入される試料の蒸気又は微粒子を吸引するために、吸気ポンプ１０及び吸気マスフローコントローラ１１で約０．５Ｌ／分を吸引する。
【００８６】
含浸ワイプ材３８には、予め、例えば、０．１μｇの乳酸を含ませている。この乳酸の量は乳酸付加イオンが検出されるのに十分な乳酸ガスを発生させられる量であれば良い。また、乳酸を含浸させなくとも材料に乳酸を含んだワイプ材を使用しても良い。例えば、コットンなどには天然のセルロースを使用しているため、微量の乳酸を含んでいる。これらのワイプ材の素材に含まれる乳酸を利用しても良い。
【００８７】
また、乳酸を全く含ませないワイプ材を使用しても、手荷物等を拭き取った場合、手荷物に付着した微量の乳酸が拭き取られる場合がある。これは、多くの化粧品には乳酸が使われていることが多く、この化粧品の成分や人体からの乳酸成分が手荷物に付着し、ワイプ材でふき取ることにより、ワイプ材に転写され、乳酸を含浸させた状態と同じになる。
【００８８】
検査は、手荷物を含浸ワイプ材３８で拭取り、極微量の爆薬成分を採取する。この含浸ワイプ材３８を吸引部１（上部加熱ヒータ）及び下部加熱ヒータで構成される加熱器２に挿入する。上部加熱ヒータ及び下部加熱ヒータは採取試料が蒸発する温度に保持されていればよく、例えば、上部及び下部加熱ヒータの両方２１０°Ｃで加熱した。ワイプ材１２が挿入されることにより下部加熱ヒータが上昇し、ワイプ材１２を加熱して爆薬試料を蒸発させる。その際、含浸ワイプ材に含まれた乳酸がガス化され、試料ガスと混合され、混合ガスとなる。混合ガスは、加熱されたフィルタ１３（例えば、２１０°Ｃで加熱されている）及び配管ヒータ１５で加熱された配管１４（例えば、１８０°Ｃで加熱されている）を通って、イオン源４に導入される。イオン源４では、混合ガスをイオン化し、質量分析部５で質量分析を行なう。
【００８９】
得られた質量スペクトルはデータ処理部６に送られ、検出しようとしていた探知対象物質から生成される固有のｍ／ｚのイオンピークの存在の有無を判断し、検出された場合には警報を鳴らす。さらに、探知対象物質から生成される固有のｍ／ｚのイオンピークが検出されなくても、乳酸から生成される分子が付加した固有のｍ／ｚのイオンピークの有無を判定して、検出された場合には警報を鳴らす。
【００９０】
つまり、探知対象物質から生成された分子のｍ／ｚのイオンピークと、探知対象物質に乳酸から生成された分子が付加された固有のｍ／ｚのイオンピークのどちらかが検出された場合、警報を鳴らしても良い。これらの作業を繰り返すことで爆発物探知装置として機能させる。
【実施例５】
【００９１】
実施例５では、有機酸ガス発生器を用いた吸引法による爆発物探知装置について説明する。
【００９２】
図１２は、本発明の実施例５の爆発物探知装置の構成例を示す図である。図１２に示す装置では、試料の吸引法により採取し、有機酸ガス発生器を用いた。
【００９３】
図１２に示すように、装置は、吸引口３９、有機酸ガス発生器３、イオン源４、質量分析部５、データ処理部６で構成される。有機酸ガス発生器３に有機酸の一例である乳酸を約４００μＬ入れ、発生器ヒータ９で約４０°Ｃに加熱し、乳酸蒸気を発生させる。さらに、押出ポンプ７及び押出マスフローコントローラ８で約０．１Ｌ／分の流量でイオン源４に導入する。その際、押出流量は吸引部側に逆流しない流量であれば良い。イオン源４では吸引口３９から挿入される試料の蒸気又は微粒子を吸引するために、吸気ポンプ１０及び吸気マスフローコントローラ１１で約０．５Ｌ／分を排気する。イオン源４と質量分析部５の間にはイオンが通る細孔があり、約０．５Ｌ／分で質量分析部５の真空ポンプで排気されているため、吸引部１に吸引された試料ガスは約０．９Ｌ／分で吸引されていることになる。
【００９４】
検査は、吸引口３９から人体や手荷物等に付着した爆薬の微粒子や蒸気を吸引する。その際、爆薬の微粒子や蒸気はエアーなどの吹き付けガスで飛ばしたものを吸引しても良い。また、吸引口には、フィルタなどの濃縮器を備え付けて、一度、爆薬の微粒子や蒸気を捕捉し、それを加熱して蒸発させる機構を備えても良い。吸気ポンプ１０とは別に吸引口の濃縮器には大容量のポンプを備えて、一度に爆薬の微粒子や蒸気を捕捉させる機構を備えても良い。
【００９５】
吸引口３９は、採取試料が蒸発する温度に保持されていればよく、例えば、２１０°Ｃで加熱した。また、人体や手荷物などに直接、加熱部が接触させないように距離を保つ機構を備える。吸引した試料は、加熱されたフィルタ１３（例えば、２１０°Ｃで加熱されている）及び配管ヒータ１５で加熱された配管１４（例えば、１８０°Ｃで加熱されている）を通って、有機酸ガス発生装置３で発生した乳酸蒸気と混合部１６で混合ガスされ、イオン源４に導入される。イオン源４では、混合ガスをイオン化し、質量分析部５で質量分析を行なう。
【００９６】
得られた質量スペクトルは、データ処理部６に送られ、検出しようとしていた探知対象物質から生成される固有のｍ／ｚのイオンピークの存在の有無を判断し、検出された場合には警報を鳴らす。さらに、探知対象物質から生成される固有のｍ／ｚのイオンピークが検出されなくても、乳酸から生成される分子が付加した固有のｍ／ｚのイオンピークの有無を判定して、検出された場合には警報を鳴らす。
【００９７】
つまり、探知対象物質から生成された分子のｍ／ｚのイオンピークと、探知対象物質に乳酸から生成された分子が付加された固有のｍ／ｚのイオンピークのどちらかが検出された場合、警報を鳴らしても良い。これらの作業を繰り返すことで爆発物探知装置として機能させる。
【実施例６】
【００９８】
以上の各実施例では、有機酸ドーパントとして乳酸を使用したが、実施例６では、他の有機酸又は有機酸塩をドーパントとして使用した結果について説明する。
【００９９】
まず、こはく酸を有機酸ドーパントとして用いた実施例を説明する。
【０１００】
図１３は、本発明の実施例６において、こはく酸をドーパントとして装置に導入した場合に得られる、爆薬ＲＤＸの質量スペクトルを示す図である。
【０１０１】
こはく酸は、乳酸と同じような水酸基及びカルボキシル基を含む有機酸である。さらに、乳酸（質量数９０）よりこはく酸（質量数１１８）の質量数が大きい特徴がある。こはく酸を、有機酸ガス発生器３に約４００μＬ入れて、こはく酸ガスを発生させた。爆薬ＲＤＸ５０ｎｇをワイプ材に滴下し、加熱器２に挿入した。こはく酸から生成された固有の分子イオン（こはく酸由来イオン）がｍ／ｚ＝１１７に検出された。これは、こはく酸の水素脱離イオンと推定される。
【０１０２】
さらに、ＲＤＸにこはく酸から生成された分子が付加した、こはく酸付加イオン（ＲＤＸこはく酸由来付加イオン）がｍ／ｚ＝３３８に検出される。このｍ／ｚ＝３３８を検出対象とする。従って、乳酸より質量数の大きい有機酸においても有機酸付加イオンが生成される。また、主な爆薬の質量数はおおむね４００以下であることから、有機酸の質量数４０から４００程度のものを利用したほうが良い。有機酸の分子量が大きすぎると、蒸気圧が下がりガスを発生させにくくなるほか、大き過ぎる分子イオンは爆薬との付加イオンを生成しにくくなるためである。
【０１０３】
次に、酪酸を有機酸ドーパントとして用いた実施例を説明する。
【０１０４】
図１４は、本発明の実施例６において、酪酸をドーパントとして装置に導入した場合に得られる、爆薬ＲＤＸの質量スペクトルを示す図である。
【０１０５】
酪酸は、乳酸と同じように水酸基及びカルボキシル基を含む有機酸である。また、乳酸（質量数９０）と酪酸（質量数８９）の質量数は、ほぼ同じである。酪酸を有機酸ガス発生器３に約４００μＬ入れて、酪酸ガスを発生させた。爆薬ＲＤＸ５０ｎｇをワイプ材に滴下し、加熱器２に挿入した。酪酸から生成された固有の分子イオン（酪酸由来イオン）がｍ／ｚ＝８９に検出された。さらに、ＲＤＸに酪酸から生成された分子が付加した酪酸付加イオン（ＲＤＸ酪酸由来付加イオン）がｍ／ｚ＝３１０に検出される。このｍ／ｚ＝３１０を検出対象とする。
【０１０６】
次に、有機酸塩の一例として乳酸が塩となった乳酸ナトリウムを有機酸ドーパントとして用いた実施例を説明する。
【０１０７】
図１５は、本発明の実施例６において、乳酸ナトリウムをドーパントとして装置に導入した場合に得られる、爆薬ＲＤＸの質量スペクトルを示す図である。
【０１０８】
乳酸ナトリウムの質量数は１１２であり、乳酸（質量数９０）より質量数は大きい。乳酸ナトリウムを有機酸ガス発生器３に約４００μＬ入れて、乳酸ナトリウムガスを発生させた。爆薬ＲＤＸ５０ｎｇをワイプ材に滴下し、加熱器２に挿入した。乳酸ナトリウムから生成された固有の分子イオン（乳酸ナトリウム由来イオン）がｍ／ｚ＝８９に検出された。
【０１０９】
さらに、ＲＤＸに乳酸ナトリウムから生成された分子が付加したこ乳酸ナトリウム付加イオン（ＲＤＸ乳酸ナトリウム由来付加イオン）がｍ／ｚ＝３１０に検出される。このｍ／ｚ＝３１０を検出対象とする。これは乳酸ナトリウムが加熱により熱分解して乳酸ガスになった可能性もある。従って、分子量が４０から４００までの有機酸又は有機酸塩を使用しても、有機酸又は有機酸塩は熱分解を起こしたりして有機酸分子が探知対象物質の付加イオンを生成する。
【産業上の利用可能性】
【０１１０】
本発明の化学物質探知装置によれば、有機酸又は有機酸塩から生成される分子と反応し生成されるイオンを検出することにより、環境物質、有害化学物質、麻薬、爆発物の探知を行なうことが可能である
【図面の簡単な説明】
【０１１１】
【図１】本発明の実施例１の爆発物探知装置の構成例を示す図。
【図２】本発明の実施例１におけるイオン源及び分析部の一例を示す図である。
【図３】従来の爆発物探知装置で得られる、塩素付加イオンの質量スペクトルの一例を示す図。
【図４】本発明の実施例の爆発物探知装置により得られる、有機酸付加イオンの質量スペクトルの一例を示す図。
【図５】従来の質量分析計による爆発物探知装置において得られる、爆薬ＲＤＸのみの質量スペクトルを示す図。
【図６】本発明の実施例１において、有機酸ドーパントとして乳酸を用いた場合に得られる、爆薬ＲＤＸの質量スペクトルを示す図。
【図７】本発明の実施例１の爆発物探知装置における、爆発物の探知フローチャートの一例を示す図。
【図８】本発明の実施例１の爆発物探知装置において、塩素ドーパントを用いた場合の、塩素濃度に対する塩素付加イオンの信号強度の変化を示す図。
【図９】本発明の実施例１の爆発物探知装置において、乳酸ドーパントを用いた場合の、乳酸濃度に対する乳酸付加イオンの信号強度の変化を示す図。
【図１０】本発明の実施例２において、ＲＤＸ乳酸付加イオンのタンデム質量分析によるフラグメント質量スペクトルを示す図。
【図１１】本発明の実施例４の爆発物探知装置の構成例を示す図。
【図１２】本発明の実施例５の爆発物探知装置の構成例を示す図。
【図１３】本発明の実施例６において、こはく酸をドーパントとして用いた場合に得られる、爆薬ＲＤＸの質量スペクトルを示す図。
【図１４】本発明の実施例６において、酪酸をドーパントとして用いた場合に得られる、爆薬ＲＤＸの質量スペクトルを示す図。
【図１５】本発明の実施例６において、乳酸ナトリウムをドーパントとして用いた場合に得られる、爆薬ＲＤＸの質量スペクトルを示す図。
【符号の説明】
【０１１２】
１…吸引部（上部加熱ヒータ）、２…加熱器、３…有機酸ガス発生器、４…イオン源、５…質量分析部、６…データ処理部、７…押出ポンプ、８…押出マスフローコントローラ、９…発生器ヒータ、１０…吸気ポンプ、１１…吸気マスフローコントローラ、１２…ワイプ材、１３…フィルタ、１４…配管、１５…配管ヒータ、１６…混合部、１７…針電極、１８…対向電極、１９…細孔付電極（第一細孔）、２０…第一細孔、２１…差動排気部、２２…細孔付電極（第二細孔）、２３…第二細孔、２４…第一排気系、２５…第二排気系、２６…真空部、２７…エンドキャップ電極ａ、２８…エンドキャップ電極ｂ、２９…リング電極、３０…イオン収束レンズ、３１…石英リング、３２…ガス供給器、３３…ガス導入管、３４…変換電極、３５…シンチレータ、３６…フォトマルチプライヤ、３７…データ処理部、３８…含浸ワイプ材、３９…吸引口。
【図１】
2005098706.tif 000003
【図２】
2005098706.tif 000004
【図３】
2005098706.tif 000005
【図４】
2005098706.tif 000006
【図５】
2005098706.tif 000007
【図６】
2005098706.tif 000008
【図７】
2005098706.tif 000009
【図８】
2005098706.tif 000010
【図９】
2005098706.tif 000011
【図１０】
2005098706.tif 000012
【図１１】
2005098706.tif 000013
【図１２】
2005098706.tif 000014
【図１３】
2005098706.tif 000015
【図１４】
2005098706.tif 000016
【図１５】
2005098706.tif 000017